(57)【特許請求の範囲】
【請求項１】
乗りかごの上部に配置され、イオンを発生するイオン発生器と、前記乗りかごの上部に配置され、送風機能を有する送風手段とを備え、前記イオン発生器で発生させたイオンを前記送風手段の送風機能により前記乗りかご内に供給するエレベーター装置において、
前記送風手段からの気流は、前記乗りかごに設けられた風洞部に導入され、送風口より前記乗りかご内に導入される構成となっており、
前記イオン発生器は、生成されたイオンに特定の方向性を付与しないものであり、前記イオン発生器を独立して配置するとともに、前記イオン発生器は前記イオン発生器から延設される送風管と、一端が前記送風管に連結されると共に、他端に設けられた解放口が前記風洞部に配置される経路変更部材とによって生成されたイオンを供給可能に接続され、前記経路変更部材は水平方向、１０度〜２０度の傾きをもって下向きに配置されることを特徴とするエレベーター装置。
【請求項２】
前記経路変更部材が、直角の曲がり角度を有することを特徴とした請求項１記載のエレベーター装置。
【発明の詳細な説明】
【技術分野】
【０００１】
本発明は、イオンを乗りかご内に放出するエレベーター装置に係り、特に、イオン発生器を送風機能を有する他の機器と併用したエレベーター装置に関する。
【背景技術】
【０００２】
近年、イオンを生成して放出することにより、ストレスや不快感を緩和したり、ウイルスやカビ、アレルギー疾患の原因となるアレルゲンを無害化したりできるイオン発生器がいろいろな用途に採用されており、例えば、不特定多数の人が利用するエレベーターにイオン発生器を設置する要求が高まってきている。しかしながら、エレベーターの乗りかごにイオン発生器を設置する場合に、利用者の利便性を考慮すると乗りかごの床に配置することは避ける必要があるので、イオン発生器を乗りかごの壁あるいは天井に実装することが必須となるとともに、乗りかご内の美観を損なわぬようできるだけ小型化する必要がある。
【０００３】
そこで、従来、イオン発生器をエアコンや空気清浄器などの送風機能を有する機器と併用し、ファンなどの送風部、及びこれを駆動するモータなどの駆動部を省いて小型化を図り、使い易くするとともにコストダウンが図れるものが提案されている。例えば、イオン発生器と換気装置を可とう性のあるチューブにより連結し、換気装置のファンを利用してイオンを乗りかご内に送出するようにしたり（例えば、特許文献１参照）、空気清浄機のファンの吹き出し口の下部にイオン発生器を固定したり（例えば、特許文献２参照）、空気清浄機のファンの吹き出し口内にイオン発生器を配置したりしたものがある（例えば、特許文献３参照）。
【先行技術文献】
【特許文献】
【０００４】
【特許文献１】特開２００４−９１０５４（段落番号００２６〜００２９、図１）
【特許文献２】特開２００４−３１５１８９（段落番号００１５〜００２０、図１）
【特許文献３】特開２００５−８９１７１（段落番号０００９、図２）
【発明の概要】
【発明が解決しようとする課題】
【０００５】
しかしながら、前述したイオン発生器と換気装置を可とう性のあるチューブにより連結したものでは、チューブと換気装置の接続方法については特に考慮されておらず、発生させたイオンを効率良く乗りかご内に供給することができなかった。すなわち、イオン発生器で生成されるイオン自体には方向性がなく、換気装置の空気流に乗って乗りかご内に供給されるようにしたものであるが、チューブと換気装置が単に接続された構造であると、換気装置の空気流がイオンを逆流させる形となり、効率的に乗りかご内にイオンを供給することが難しかった。
【０００６】
また、空気清浄機のファンの吹き出し口近傍にイオン発生器を固定したり、空気清浄機のファンの吹き出し口内にイオン発生器を配置したりしたものも提案されているが、実際には、イオン発生部、電源部、及び制御部等から成るイオン発生器は比較的大きな機器となり、特に、積載量の大きなエレベーターの乗りかごに適用した場合、イオンの効果を目的に沿う程度まで得るためにイオン発生器を相対的に大きくする必要があり、意匠性の問題や設置スペースの問題から実用が難しかった。
【０００７】
本発明は、前述した従来技術における実状からなされたもので、その目的は、発生させたイオンを効率良く乗りかご内に供給することができると共に、イオン発生器を効率良く設置することのできるエレベーター装置を提供することにある。
【課題を解決するための手段】
【０００８】
前記の目的を達成するために、本発明は、乗りかごの上部に配置され、イオンを発生するイオン発生器と、前記乗りかごの上部に配置され、送風機能を有する送風手段とを備え、前記イオン発生器で発生させたイオンを前記送風手段の送風機能により前記乗りかご内に供給するエレベーター装置において、前記送風手段からの気流は、前記乗りかごに設けられた風洞部に導入され、送風口より前記乗りかご内に導入される構成となっており、前記イオン発生器は、生成されたイオンに特定の方向性を付与しないものであり、前記イオン発生器を独立して配置するとともに、前記イオン発生器は前記イオン発生器から延設される送風管と、一端が前記送風管に連結されると共に、他端に設けられた解放口が前記風洞部に配置される経路変更部材とによって生成されたイオンを供給可能に接続され、前記経路変更部材は水平方向、１０度〜２０度の傾きをもって下向きに配置されることを特徴としている。
【０００９】
このように構成した本発明では、イオン発生器で生成されたイオンは送風管を通り、経路変更部材の解放口から送風手段と乗りかご天井に形成された送風口との間に放出され、送風手段の送風機能により乗りかご内に供給される。このとき、経路変更部材の解放口が水平方向、１０度〜２０度の傾きをもって下向きに配置されることで、経路変更部材の解放口から放出されるイオンは送風手段の空気流に円滑に乗ることができ、これによって、発生させたイオンを効率良く乗りかご内に供給することができる。
【００１０】
また、本発明は、前記経路変更部材が、直角の曲がり角度を有することを特徴としている。
【００１１】
このように構成した発明では、イオン発生器から延設される送風管は、直角の曲げ角度を有する経路変更部材の一端に接続されると共に、この経路変更部材の他端は、送風手段と乗りかご天井に形成された送風手段の送風口との間に配置される。これによって、イオン発生器と送風手段と並列配置することができ、送風手段の一般的な配置位置を変更することなく、また、乗りかご上に配設される他の機器の一般的な配置を妨げることなく、イオン発生器を設置することができる。
【発明の効果】
【００１２】
本発明によれば、発生させたイオンを効率良く乗りかご内に供給することができ、これによって、高性能な装置とし、この種の装置を所望する顧客のニーズに応えることができる。また、送風手段の一般的な配置位置を変更することなく、また、乗りかご上に配設される他の機器の一般的な配置を妨げることなく、イオン発生器を設置することができ、これによって、装置の汎用性を高めることができる。
【図面の簡単な説明】
【００１３】
【図１】本発明が適用されるエレベーター装置の概略構成図である。
【図２】本発明に係るエレベーター装置の一実施例を示す乗りかごの上面図である。
【図３】図２のＡ−Ａ断面図である。
【図４】本実施例におけるエレベーター装置の要部拡大上面図である。
【図５】図３のＢ−Ｂ断面図である。
【発明を実施するための形態】
【００１４】
以下、本発明に係るエレベーター装置の実施例を図に基づき説明する。
【００１５】
エレベーター装置は、図１に示すように、建屋に形成される昇降路を昇降する乗りかご１及びつり合いおもり２と、これらの乗りかご１及びつり合いおもり２に連結されるロープ３と、昇降路上部に設置されると共に、ロープ３の中間部が巻き掛けられ、乗りかご１及びつり合いおもり２を駆動する巻上機４とを備えている。
【００１６】
乗りかご１の天井１ａ上部には、図２に示すように、イオンを発生するイオン発生器５と、送風機能を有する送風手段、例えば、乗りかご１の奥行き側中央に配置され、長方形の断面形状を有する換気装置６と、図示しないかご照明が設置される照明ボックス７とが設けられている。
【００１７】
イオン発生装置５は、乗りかご１の奥行き側一方にあって換気装置６と並列するように配置されるイオン発生部５ａと、図示しない制御部を有する電源部５ｂとから成っている。
【００１８】
そして、本実施例のエレベーター装置は、図３乃至図５に示すように、イオン発生器５のイオン発生部５ａから直線状に延設され、天井１ａの連結部１ｂを貫通する送風管８と、一端が送風管８に連結部１４で連結されると共に、他端に設けられた解放口９ａが、換気装置６と乗りかご天井に形成された送風口１０との間、すなわち、風洞部１１に配置され、かつ水平方向に対し、例えば、１５度の傾きをもって下向きに配置される経路変更部材９とを備えている。
【００１９】
送風管８は、可とう性のある部材で形成されており、例えば、図３に示すような、イオン発生部５ａ側の送風管８の接続部と経路変更部材９側の送風管８の接続部との高さ位置の違いに対応可能としてある。
【００２０】
経路変更部材９は、直角の曲がり角度を有する塩ビ継手で形成されており、乗りかご天井１ａに固定されたブラケット１２へクリップナット１３により装着されている。
【００２１】
風洞部１１は、その上部に、換気装置６が取付けられると共に、その下面に、送風口１０と対向する位置に第１の開口部１１ａが形成され、かつ、その側面には、経路変更部材９の一端が挿入される第２の開口部１１ｂが形成されている。
【００２２】
本実施例にあっては、イオン発生器５のイオン発生部５ａで生成されたイオンは送風管８を通り、経路変更部材９の解放口９ａから換気装置６と乗りかご天井に形成された送風口１０との間、すなわち、風洞部１１に放出され、換気装置６の送風機能により乗りかご１内に供給される。このとき、経路変更部材９の解放口９ａが水平方向に対し１５度の傾きをもって下向きに配置されることで、経路変更部材９の解放口９ａから放出されるイオンは換気装置６の空気流に円滑に乗り、効率良く乗りかご１内に供給される。また、経路変更部材９の解放口９ａが風洞部１１内に１５度下向きに位置することから、仮に、換気装置６が動作していないときでも、乗りかご１の昇降に応じて生じる気流によりイオンが乗りかご１内に供給される。
【００２３】
本実施例によれば、発生させたイオンを効率良く乗りかご１内に供給することができ、これによって、高性能な装置とし、この種の装置を所望する顧客のニーズに応えることができる。また、直角の曲げ角度を有する経路変更部材９を送風管８と接続することで、イオン発生器５と換気装置６とを並列配置することができ、これによって、換気装置６の一般的な配置位置を変更することなく、また、乗りかご１上に配設される照明ボックス７等の他の機器の一般的な配置を妨げることなく、イオン発生器５を設置することができ、したがって、装置の汎用性を高めることができる。
【００２４】
なお、前述した実施例では、経路変更部材９の傾きを１５度としたが、本発明ではこれに限らず１０〜２０度の間で任意の値に設定することができる。即ち、経路変更部材９の傾きを１０度以下にした場合は、換気装置６からの空気流が経路変更部材９内に逆流してイオンが乗りかご１内に送風できない恐れがあり、また、２０度以上の場合は、経路変更部材９の解放口９ａから放出されるイオンが送風手段の空気流にうまく乗れないことが実験により明らかとなっている。
【符号の説明】
【００２５】
１  乗りかご
１ａ  天井
２  つり合いおもり
３  ロープ
４  巻上機
５  イオン発生器
５ａ  イオン発生部
５ｂ  電源部
６  換気装置（送風手段）
７  照明ボックス
８  送風管
９  経路変更部材
９ａ  解放口
１０  送風口
１１  風洞部
１１ａ  第１の開口部
１１ｂ  第２の開口部
１２  ブラケット
１３  クリップナット
【図１】
0005487132.tif 000002
【図２】
0005487132.tif 000003
【図３】
0005487132.tif 000004
【図４】
0005487132.tif 000005
【図５】
0005487132.tif 000006